【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
ユーザ機器(UE)によって実行されるワイヤレス通信のための方法であって、
UEから基地局へのアップリンクデータの送信用の2つ以上のベアラを識別するステップであって、
各ベアラが、特定のネットワークサービス用のサービス品質(QoS)に合致するように、前記ベアラによって提供されるように構成された前記特定のネットワークサービスに対応するベアラタイプを有する、ステップと、
1つまたは複数の異なる送信時間区間(TTI)持続時間を前記2つ以上のベアラの各々に関連付けるステップと、
前記関連付けられた1つもしくは複数のTTI持続時間または前記ベアラタイプに少なくとも部分的に基づいて、前記2つ以上のベアラの各ベアラに優先度を付けるステップと、
前記優先度付けに少なくとも部分的に基づいてアップリンクTTIの間に前記アップリンクデータの送信を送信するステップと、
第2のTTIを有する第2のベアラタイプの第2の送信が、前記第2のTTIよりも長い第1のTTIを有する第1のベアラタイプの進行中の第1の送信の完了の前に送信されるべきであることを決定するステップと、
指定された構成または無線リソース制御(RRC)シグナリングの中で受信された構成に少なくとも部分的に基づいて、前記第1のベアラタイプの前記進行中の第1の送信に関連するバッファ情報をバッファステータス報告(BSR)の中に含めるべきかそれとも除外すべきかを決定するステップと、
前記第2の送信の中で前記BSRを送信するステップと
を備える方法。
【請求項２】
前記優先度付けに少なくとも部分的に基づいて、前記2つ以上のベアラのうちの少なくとも1つに関連する前記BSRを送信するステップ
をさらに備える請求項1に記載の方法。
【請求項３】
前記2つ以上のベアラの各々に対する1つまたは複数の論理チャネルを識別するステップと、
前記関連付けられた1つもしくは複数のTTI持続時間または前記2つ以上のベアラの各々に対する前記ベアラタイプに少なくとも部分的に基づいて、前記識別された論理チャネルに優先度を付けるステップと
をさらに備える請求項1に記載の方法。
【請求項４】
各ベアラのTTI持続時間に少なくとも部分的に基づいて、前記2つ以上のベアラを1つまたは複数の論理グループに論理的にグループ化するステップと、
前記1つまたは複数の論理グループのうちの少なくとも1つに関連するバッファステータス報告を送信するステップと
をさらに備え、
前記2つ以上のベアラが、第3のベアラタイプを有する第3のベアラおよび第4のベアラタイプを有する第4のベアラを備え、
前記第3のベアラタイプおよび前記第4のベアラタイプの優先度が、アップリンクTTIごとに独立して決定される、請求項1に記載の方法。
【請求項５】
各ベアラに優先度を付ける前記ステップが、
第3のベアラ優先度を伴う第3のベアラタイプを有する第3のベアラを識別するステップであって、前記第3のベアラが第3のTTI持続時間を有する、ステップと、
前記第3のベアラ優先度よりも低い第4のベアラ優先度を伴う第4のベアラタイプを有する第4のベアラを識別するステップであって、前記第4のベアラが、前記第3のTTI持続時間よりも短い第4のTTI持続時間を有する、ステップと、
前記第4のTTI持続時間に基づいて、前記第3のベアラよりも優先度が高くなるように前記第4のベアラに優先度を付けるステップと
をさらに備える、
請求項1に記載の方法。
【請求項６】
優先度がより高い1つまたは複数のベアラに関連するバッファ情報を有する、さらなるバッファステータス報告(BSR)の第1の部分を構成するステップと、
優先度がより低い1つまたは複数のベアラに関連するバッファ情報を有する、前記さらなるBSRの第2の部分を構成するステップと、
前記さらなるBSRの前記第2の部分より先に前記さらなるBSRの前記第1の部分を送信するステップと
をさらに備える請求項1に記載の方法。
【請求項７】
前記さらなるBSRを送信するためのリソースが前記さらなるBSRの前記第1の部分と前記さらなるBSRの前記第2の部分の両方を送信するのに不十分であることを決定するステップと、
前記さらなるBSRの前記第2の部分の送信を延期するステップと
をさらに備える請求項6に記載の方法。
【請求項８】
第2のTTIを有する第2のベアラタイプの第2の送信が、前記第2のTTIよりも長い第1のTTIを有する第1のベアラタイプの進行中の第1の送信をパンクチャすべきであることを決定するステップと、
前記第1のベアラタイプの前記進行中の第1の送信に関連するバッファ情報をバッファステータス報告(BSR)の中に含めるステップと、
前記第2の送信の中で前記BSRを送信するステップと
をさらに備える請求項1に記載の方法。
【請求項９】
前記第2のTTIを有する前記第2のベアラタイプの前記第2の送信が、前記進行中の第1の送信の完了の前に送信されるべきであることを決定するステップが、
前記第2のTTIを有する前記第2のベアラタイプの前記第2の送信が、前記第1のベアラタイプの前記進行中の第1の送信と並行して送信されるべきであることを決定するステップと、
前記第1のベアラタイプの前記進行中の第1の送信に関連する前記バッファ情報を前記BSRから除外するステップと
をさらに備える請求項1に記載の方法。
【請求項１０】
前記アップリンクデータが、第1のコンポーネントキャリア上で第1のTTIを使用して、または第2のコンポーネントキャリア上で第2のTTIを使用して、送信され得ることを決定するステップであって、前記第2のTTIが前記第1のTTIよりも長い、ステップと、
前記第1のTTIまたは前記第2のTTIを使用する前記アップリンクデータの送信に対する、指定または構成された優先度付けに少なくとも部分的に基づいて、前記アップリンクデータの送信のために前記第1のコンポーネントキャリアまたは前記第2のコンポーネントキャリアのうちの1つを選択するステップと
をさらに備える請求項1に記載の方法。
【請求項１１】
1つまたは複数の異なるヌメロロジーを前記2つ以上のベアラの各々に関連付けるステップと、
前記関連付けられた1つまたは複数のヌメロロジーに少なくとも部分的に基づいて、前記2つ以上のベアラの各ベアラに優先度を付けるステップと
をさらに備える請求項1に記載の方法。
【請求項１２】
基地局によって実行されるワイヤレス通信のための方法であって、
ユーザ機器(UE)からのアップリンクデータ送信用の2つ以上のベアラタイプを識別するステップであって、
各ベアラタイプが、特定のネットワークサービス用のサービス品質(QoS)に合致するように、前記ベアラタイプに関連するベアラによって提供されるように構成された前記特定のネットワークサービスに対応する、ステップと、
1つまたは複数の異なる送信時間区間(TTI)持続時間を前記2つ以上のベアラタイプの各々に関連付けるステップと、
前記関連付けられた1つまたは複数のTTI持続時間に少なくとも部分的に基づいて、前記2つ以上のベアラタイプの各ベアラタイプに優先度を付けるステップと、
前記優先度付けに少なくとも部分的に基づいてアップリンクTTIの間にアップリンク送信を送信するように前記UEを構成するステップと、
第2のTTIを有する第2のベアラタイプの第2の送信が、前記第2のTTIよりも長い第1のTTIを有する第1のベアラタイプの進行中の第1の送信の完了の前に送信されるべきであるのか、および、指定された構成または無線リソース制御(RRC)シグナリングの中で受信された構成に少なくとも部分的に基づいて、前記第1のベアラタイプの前記進行中の第1の送信に関連するバッファ情報をバッファステータス報告(BSR)の中に含めるように、または除外するように前記UEを構成するステップと
を備える方法。
【請求項１３】
ワイヤレス通信のためのモバイルデバイスであって、
前記モバイルデバイスからネットワークデバイスへのアップリンクデータ送信用の2つ以上のベアラを識別するための手段であって、
各ベアラが、特定のネットワークサービス用のサービス品質(QoS)に合致するように、前記ベアラによって提供されるように構成された前記特定のネットワークサービスに対応するベアラタイプを有する、手段と、
1つまたは複数の異なるTTI持続時間を前記2つ以上のベアラの各々に関連付けるための手段と、
前記関連付けられた1つもしくは複数のTTI持続時間または前記ベアラタイプに少なくとも部分的に基づいて、前記2つ以上のベアラの各ベアラに優先度を付けるための手段と、
前記優先度付けに少なくとも部分的に基づいてアップリンクTTIの間に前記アップリンクデータ送信を送信するための手段と、
第2のTTIを有する第2のベアラタイプの第2の送信が、前記第2のTTIよりも長い第1のTTIを有する第1のベアラタイプの進行中の第1の送信の完了の前に送信されるべきであることを決定するための手段と、
指定された構成または無線リソース制御(RRC)シグナリングの中で受信された構成に少なくとも部分的に基づいて、前記第1のベアラタイプの前記進行中の第1の送信に関連するバッファ情報をバッファステータス報告(BSR)の中に含めるべきかそれとも除外すべきかを決定するための手段と、
前記第2の送信の中で前記BSRを送信するための手段と
を備えるモバイルデバイス。
【請求項１４】
ワイヤレス通信のためのネットワークデバイスであって、
モバイルデバイスからのアップリンクデータ送信用の2つ以上のベアラタイプを識別するための手段であって、
各ベアラタイプが、特定のネットワークサービス用のサービス品質(QoS)に合致するように、前記ベアラタイプに関連するベアラによって提供されるように構成された前記特定のネットワークサービスに対応する、手段と、
1つまたは複数の異なるTTI持続時間を前記2つ以上のベアラタイプの各々に関連付けるための手段と、
前記関連付けられた1つまたは複数のTTI持続時間に少なくとも部分的に基づいて、前記2つ以上のベアラタイプの各ベアラタイプに優先度を付けるための手段と、
前記優先度付けに少なくとも部分的に基づいてアップリンクTTIの間にアップリンク送信を送信するように前記モバイルデバイスを構成するための手段と、
第2のTTIを有する第2のベアラタイプの第2の送信が、前記第2のTTIよりも長い第1のTTIを有する第1のベアラタイプの進行中の第1の送信の完了の前に送信されるべきであるのか、および、指定された構成または無線リソース制御(RRC)シグナリングの中で受信された構成に少なくとも部分的に基づいて、前記第1のベアラタイプの前記進行中の第1の送信に関連するバッファ情報をバッファステータス報告(BSR)の中に含めるように、または除外するように前記モバイルデバイスを構成するための手段と
を備えるネットワークデバイス。